【手続補正書】
【提出日】平成29年5月10日(2017.5.10)
【手続補正１】
【補正対象書類名】特許請求の範囲
【補正対象項目名】全文
【補正方法】変更
【補正の内容】
【特許請求の範囲】
【請求項１】
光源と、
前記光源から発せられた光を透過する光学部材であって、透過率を変更可能な光学部材と、
前記光源と前記光学部材との間の距離を測定する測定手段と、
前記測定手段の測定結果に応じて、前記光源と前記光学部材との間の距離の変化による前記光学部材を透過する光の輝度の変化が低減するように、前記光学部材の透過率を領域毎に調整する第１調整手段と、
を有することを特徴とする発光装置。
【請求項２】
個別に発光輝度を変更可能な複数の光源と、
前記測定手段による前記複数の光源のいずれかと前記光学部材との間の距離の測定結果に応じて、前記距離の変化による前記光学部材を透過する光の輝度の変化が低減するように、前記複数の光源の発光輝度を個別に調整する第２調整手段と、
をさらに有することを特徴とする請求項１に記載の発光装置。
【請求項３】
前記第２調整手段が前記光源の発光輝度を調整する処理は、前記第１調整手段が前記光学部材の透過率を調整する処理よりも優先して実行される
ことを特徴とする請求項２に記載の発光装置。
【請求項４】
前記第２調整手段が前記光源の発光輝度を低減する処理は、前記第１調整手段が前記光学部材の透過率を調整する処理よりも優先して実行され、
前記第１調整手段が前記光学部材の透過率を調整する処理は、前記第２調整手段が前記光源の発光輝度を高める処理よりも優先して実行される
ことを特徴とする請求項２に記載の発光装置。
【請求項５】
前記第１調整手段が前記光学部材の透過率を高める処理は、前記第１調整手段が前記光学部材の透過率を低減する処理よりも優先して実行される
ことを特徴とする請求項１〜４のいずれか１項に記載の発光装置。
【請求項６】
前記光学部材は、複数の液晶素子を有する液晶パネルを含み、
前記第１調整手段は、前記液晶パネルの透過率を調整する
ことを特徴とする請求項１〜５のいずれか１項に記載の発光装置。
【請求項７】
発光輝度を個別に変更可能な複数の光源と、
前記複数の光源から発せられた光を透過する光学シートと、
前記光源と前記光学シートとの間の距離を測定する測定手段と、
前記測定手段による前記複数の光源のいずれかと前記光学シートとの間の距離の測定結果に応じて、前記距離の変化による前記光学シートを透過する光の輝度の変化が低減するように、前記複数の光源の発光輝度を個別に調整する第２調整手段と、
を有することを特徴とする発光装置。
【請求項８】
前記測定手段は、２つ以上の光源のそれぞれについて、その光源と前記光学シートとの間の距離を測定する
ことを特徴とする請求項７に記載の発光装置。
【請求項９】
前記光学シートは、拡散板、集光シートまたは反射型偏光フィルムのいずれかを含む
ことを特徴とする請求項７または８に記載の発光装置。
【請求項１０】
光源と、
前記光源から発せられた光を透過する光学部材であって、透過率を変更可能な光学部材と、
を有する発光装置の制御方法であって、
前記光源と前記光学部材との間の距離を測定する測定ステップと、
前記測定ステップの測定結果に応じて、前記光源と前記光学部材との間の距離の変化による前記光学部材を透過する光の輝度の変化が低減するように、前記光学部材の透過率を領域毎に調整する第１調整ステップと、
を有することを特徴とする発光装置の制御方法。
【請求項１１】
前記発光装置は、個別に発光輝度を変更可能な複数の光源を有し、
前記発光装置の制御方法は、前記測定ステップによる前記複数の光源のいずれかと前記光学部材との間の距離の測定結果に応じて、前記距離の変化による前記光学部材を透過する光の輝度の変化が低減するように、前記複数の光源の発光輝度を個別に調整する第２調整ステップをさらに有する
ことを特徴とする請求項１０に記載の発光装置の制御方法。
【請求項１２】
前記第２調整ステップで前記光源の発光輝度を調整する処理は、前記第１調整ステップで前記光学部材の透過率を調整する処理よりも優先して実行される
ことを特徴とする請求項１１に記載の発光装置の制御方法。
【請求項１３】
前記第２調整ステップで前記光源の発光輝度を低減する処理は、前記第１調整ステップで前記光学部材の透過率を調整する処理よりも優先して実行され、
前記第１調整ステップで前記光学部材の透過率を調整する処理は、前記第２調整ステップで前記光源の発光輝度を高める処理よりも優先して実行される
ことを特徴とする請求項１１に記載の発光装置の制御方法。
【請求項１４】
前記第１調整ステップで前記光学部材の透過率を高める処理は、前記第１調整ステップで前記光学部材の透過率を低減する処理よりも優先して実行される
ことを特徴とする請求項１０〜１３のいずれか１項に記載の発光装置の制御方法。
【請求項１５】
前記光学部材は、複数の液晶素子を有する液晶パネルを含み、
前記第１調整ステップでは、前記液晶パネルの透過率を調整する
ことを特徴とする請求項１０〜１４のいずれか１項に記載の発光装置の制御方法。
【請求項１６】
発光輝度を個別に変更可能な複数の光源と、
前記複数の光源から発せられた光を透過する光学シートと、
を有する発光装置の制御方法であって、
前記光源と前記光学シートとの間の距離を測定する測定ステップと、
前記測定ステップによる前記複数の光源のいずれかと前記光学シートとの間の距離の測定結果に応じて、前記距離の変化による前記光学シートを透過する光の輝度の変化が低減するように、前記複数の光源の発光輝度を個別に調整する第２調整ステップと、
を有することを特徴とする発光装置の制御方法。
【請求項１７】
前記測定ステップでは、２つ以上の光源のそれぞれについて、その光源と前記光学シートとの間の距離を測定する
ことを特徴とする請求項１６に記載の発光装置の制御方法。
【請求項１８】
前記光学シートは、拡散板、集光シート、反射型偏光フィルムのいずれかを含む
ことを特徴とする請求項１６または１７に記載の発光装置の制御方法。
【手続補正２】
【補正対象書類名】明細書
【補正対象項目名】０００８
【補正方法】変更
【補正の内容】
【０００８】
本発明の第１の態様は、
光源と、
前記光源から発せられた光を透過する光学部材であって、透過率を変更可能な光学部材と、
前記光源と前記光学部材との間の距離を測定する測定手段と、
前記測定手段の測定結果に応じて、前記光源と前記光学部材との間の距離の変化による前記光学部材を透過する光の輝度の変化が低減するように、前記光学部材の透過率を領域毎に調整する第１調整手段と、
を有することを特徴とする発光装置である。
【手続補正３】
【補正対象書類名】明細書
【補正対象項目名】０００９
【補正方法】変更
【補正の内容】
【０００９】
本発明の第２の態様は、
発光輝度を個別に変更可能な複数の光源と、
前記複数の光源から発せられた光を透過する光学シートと、
前記光源と前記光学シートとの間の距離を測定する測定手段と、
前記測定手段による前記複数の光源のいずれかと前記光学シートとの間の距離の測定結果に応じて、前記距離の変化による前記光学シートを透過する光の輝度の変化が低減するように、前記複数の光源の発光輝度を個別に調整する第２調整手段と、
を有することを特徴とする発光装置である。
【手続補正４】
【補正対象書類名】明細書
【補正対象項目名】００１０
【補正方法】変更
【補正の内容】
【００１０】
本発明の第３の態様は、
光源と、
前記光源から発せられた光を透過する光学部材であって、透過率を変更可能な光学部材と、
を有する発光装置の制御方法であって、
前記光源と前記光学部材との間の距離を測定する測定ステップと、
前記測定ステップの測定結果に応じて、前記光源と前記光学部材との間の距離の変化による前記光学部材を透過する光の輝度の変化が低減するように、前記光学部材の透過率を領域毎に調整する第１調整ステップと、
を有することを特徴とする発光装置の制御方法である。
【手続補正５】
【補正対象書類名】明細書
【補正対象項目名】００１１
【補正方法】変更
【補正の内容】
【００１１】
本発明の第４の態様は、
発光輝度を個別に変更可能な複数の光源と、
前記複数の光源から発せられた光を透過する光学シートと、
を有する発光装置の制御方法であって、
前記光源と前記光学シートとの間の距離を測定する測定ステップと、
前記測定ステップによる前記複数の光源のいずれかと前記光学シートとの間の距離の測定結果に応じて、前記距離の変化による前記光学シートを透過する光の輝度の変化が低減するように、前記複数の光源の発光輝度を個別に調整する第２調整ステップと、
を有することを特徴とする発光装置の制御方法である。